(57)【要約】【課題】視覚的且つ直観的に表示画像の操作が可能な画像表示装置を提供する。【解決手段】プログラム及び各種データを記憶する記憶手段と、記憶されたプログラムの実行及び各入出力制御を司る制御手段と、ボタン又はポインティングディバイスによる各種操作を受け付ける入力手段と、各種操作に応じて各種テキスト及び画像を表示する表示手段と、を少なくとも備え、前記入力手段の操作に応じて複数の画像データを読み出し選択表示する表示画像操作手段と、複数の画像を前面から後面へと衝立状に配置した中央の第１画像グループと、複数の画像を前面から後面へと衝立状に配置しその一部が表示されるように該第１の画像グループの両側に所定の間隔で配置した第２及び第３画像グループと、を同一表示画面上に遠近法を用いて３次元的に表示する画像表示手段と、を備える。【選択図】図１
0003122736.tif 000002
【実用新案登録請求の範囲】
【請求項１】
アプリケーションを実行するためのプログラム及び各種データを記憶する記憶手段と、
前記記憶手段に記憶されたプログラムの実行及び各入出力デバイスの制御を司る制御手段と、
ボタン又はポインティングディバイスによる各種操作を受け付ける入力手段と、
前記入力手段で受け付けた各種操作に応じて各種テキスト及び画像を表示する表示手段と、を少なくとも備える画像表示装置であって、
前記入力手段の操作に応じて前記記憶手段に記憶された複数の画像データを前記制御手段により読み出し表示画面上に選択表示する表示画像操作手段と、
複数の画像を前面から後面へと衝立状に配置した中央の第１画像グループと、複数の画像を前面から後面へと衝立状に配置しその一部が表示されるように該第１の画像グループの両側に所定の間隔で配置した第２及び第３画像グループと、を同一表示画面上に遠近法を用いて３次元的に表示する画像表示手段と、を備えることを特徴とする画像表示装置。
【請求項２】
前記第１画像グループの最前面の画像に関連付けされた、少なくとも画像を特定する名称、日付、及び何枚目の画像であるかの画像番号を、表示画面の一部に表示する属性情報表示手段を備えることを特徴とする請求項１に記載の画像表示装置。
【請求項３】
複数の画像で構成され中央に配置された前記第１画像グループのグループ名を表示画面の一部に表示するグループ名表示手段を備えることを特徴とする請求項１に記載の画像表示装置。
【請求項４】
複数の画像を選択操作するための操作ボタンが十字状に４つ配置され、左又は右操作ボタンの操作により前記第１画像グループを左側又は右側の位置にアニメーション表示により移動して新たな第２又は第３画像グループとして表示し、前記第２又は第３画像グループを中央の位置にアニメーション表示により移動して新たな第１画像グループとして表示する画像グループ移動手段を備えることを特徴とする請求項１に記載の画像表示装置。
【請求項５】
複数の画像を選択操作するための操作ボタンが十字状に４つ配置され、上又は下操作ボタンの操作により前記第１乃至第３画像グループのそれぞれの画像を後面から前面又は前面から後面へとアニメーション表示により移動する画像移動手段を備えることを特徴とする請求項１に記載の画像表示装置。
【請求項６】
前記画像移動手段は、上又は下操作ボタンが押されて所定時間経過後、操作ボタンが押し続けられる間、前記第１乃至第３画像グループのそれぞれの画像を後面から前面又は前面から後面へ自動的に移動することを特徴とする請求項５に記載の画像表示装置。
【請求項７】
複数の画像を選択操作するための十字状に配置された４つの操作ボタンの中央に第５操作ボタンが設けられ、該中央の第５操作ボタンの操作によって前記第２及び第３画像グループを非表示にし、前記第１画像グループの最前面の画像を表示画面一杯に表示した画面表示と元の第１乃至第３画像グループが表示された画面表示とをアニメーション表示により切り替える画像表示切替手段を備えることを特徴とする請求項１に記載の画像表示装置
【請求項８】
前記記憶手段に記憶された全てのデジタル画像データ中から、前記同一表示画面に３次元的に表示される画像グループの画像データを含む画像データの一部をハードウェアデコーダによりワークエリアのメモリに展開し、該ワークエリアのメモリ中に展開された画像データから３次元描画エンジンにより前記表示画面を構成する画像メモリに展開して描画・表示する画像データデコード手段を備えることを特徴とする請求項１に記載の画像表示装置。
【請求項９】
表示画面中のそれぞれの画像の上、下、左、右の中いずれか又は複数の縁に、画像を特定するための色又は記号により識別可能なブックマーク機能を付加するブックマーク付加手段を備えることを特徴とする請求項１に記載の画像表示装置。
【請求項１０】
前記画像表示手段で３次元的に表示され前面から後面へと配置される複数からなる画像は、前面から後面にかけてコントラストが下げられて表示されることを特徴とする請求項１に記載の画像表示装置。
【考案の詳細な説明】
【技術分野】
【０００１】
本考案は、画像表示装置に関するもので、詳しくは電子機器内に蓄積された多数の画像をその表示画面上で３次元的に配置して表示する画像表示装置に関するものである。
【背景技術】
【０００２】
多数の画像データをコンピュータの表示画面に表示する際に、そのインデックス表示或いは一覧表示として画像を縮小し複数表示するサムネイル（Ｔｈｕｍｂｎａｉｌ）表示が一般的に用いられており、種々のアプリケーションで多用されている。デジタルカメラや携帯電話の他、携帯音楽プレイヤに内蔵された画像表示装置、さらにはＤＶＤ（Ｄｉｇｉｔａｌ  Ｖｅｒｓａｔｉｌｅ  Ｄｉｓｃ）プレイヤ等からテレビモニタに表示する際にも、４分割、９分割、或いは１６分割等により画像を表示画面上にサムネイル表示するものが多い。
【０００３】
しかしながら、表示画面サイズに制約のあるデジタルカメラ、携帯電話等の携帯用電子機器、或いは画像解像度が粗いテレビ受像機等の表示画面上で複数の画像をサムネイル表示しようとすると、表示画像数に応じてその画像内容を認識することが困難になることから、実際に識別可能な表示画像数を少なくせざるを得ず、本来直観的且つ迅速に検索する目的であったものが、タイトル或いはファイル名一覧のリスト表示により識別する方が速く検索できるという本末転倒の結果になってしまう。
【０００４】
上述の問題点を回避するために、サムネイルを単純に平面上に表示するのではなく、サムネイルのファイル束の集合体の一部を重ね合わせて三次元様の立体的に配列して表示するようにしたものが特許文献１に開示されている。
【０００５】
【特許文献１】特開２０００−１０５７７２号公報
【考案の開示】
【考案が解決しようとする課題】
【０００６】
特許文献１の表示手法も、画面が小さくなって識別できなくなるという問題点を回避するものではあるが、表示画像に対する操作が複雑であり、直観的な操作という面では問題があった。
そこで、本考案は、多数の画像を衝立状に並べ、遠近法により３次元的に画像を配置することで視覚的且つ直観的な表示画像の操作を可能にした画像表示装置を提供することを目的とする。
【課題を解決するための手段】
【０００７】
上記目的を達成するため、請求項１に係る本考案の画像表示装置は、アプリケーションを実行するためのプログラム及び各種データを記憶する記憶手段と、前記記憶手段に記憶されたプログラムの実行及び各入出力デバイスの制御を司る制御手段と、ボタン又はポインティングディバイスによる各種操作を受け付ける入力手段と、前記入力手段で受け付けた各種操作に応じて各種テキスト及び画像を表示する表示手段と、を少なくとも備える画像表示装置であって、前記入力手段の操作に応じて前記記憶手段に記憶された複数の画像データを前記制御手段により読み出し表示画面上に選択表示する表示画像操作手段と、複数の画像を前面から後面へと衝立状に配置した中央の第１画像グループと、複数の画像を前面から後面へと衝立状に配置しその一部が表示されるように該第１の画像グループの両側に所定の間隔で配置した第２及び第３画像グループと、を同一表示画面上に遠近法を用いて３次元的に表示する画像表示手段と、を備えることを特徴とする。
また、請求項２に係る考案は、前記第１画像グループの最前面の画像に関連付けされた、少なくとも画像を特定する名称、日付、及び何枚目の画像であるかの画像番号を、表示画面の一部に表示する属性情報表示手段を備えることを特徴とする。
また、請求項３に係る考案は、複数の画像で構成され中央に配置された前記第１画像グループのグループ名を表示画面の一部に表示するグループ名表示手段を備えることを特徴とする。
また、請求項４に係る考案は、複数の画像を選択操作するための操作ボタンが十字状に４つ配置され、左又は右操作ボタンの操作により前記第１画像グループを左側又は右側の位置にアニメーション表示により移動して新たな第２又は第３画像グループとして表示し、前記第２又は第３画像グループを中央の位置にアニメーション表示により移動して新たな第１画像グループとして表示する画像グループ移動手段を備えることを特徴とする。
また、請求項５に係る考案は、複数の画像を選択操作するための操作ボタンが十字状に４つ配置され、上又は下操作ボタンの操作により前記第１乃至第３画像グループのそれぞれの画像を後面から前面又は前面から後面へとアニメーション表示により移動する画像移動手段を備えることを特徴とする。
また、請求項６に係る考案の前記画像移動手段は、上又は下操作ボタンが押されて所定時間経過後、操作ボタンが押し続けられる間、前記第１乃至第３画像グループのそれぞれの画像を後面から前面又は前面から後面へ自動的に移動することを特徴とする。
また、請求項７に係る考案は、複数の画像を選択操作するための十字状に配置された４つの操作ボタンの中央に第５操作ボタンが設けられ、該中央の第５操作ボタンの操作によって前記第２及び第３画像グループを非表示にし、前記第１画像グループの最前面の画像を表示画面一杯に表示した画面表示と元の第１乃至第３画像グループが表示された画面表示とをアニメーション表示により切り替える画像表示切替手段を備えることを特徴とする。
また、請求項８に係る考案は、前記記憶手段に記憶された全てのデジタル画像データ中から、前記同一表示画面に３次元的に表示される画像グループの画像データを含む画像データの一部をハードウェアデコーダによりワークエリアのメモリに展開し、該ワークエリアのメモリ中に展開された画像データから３次元描画エンジンにより前記表示画面を構成する画像メモリに展開して描画・表示する画像データデコード手段を備えることを特徴とする。
また、請求項９に係る考案は、表示画面中のそれぞれの画像の上、下、左、右の中いずれか又は複数の縁に、画像を特定するための色又は記号により識別可能なブックマーク機能を付加するブックマーク付加手段を備えることを特徴とする。
また、請求項１０に係る考案の前記画像表示手段で３次元的に表示され前面から後面へと配置される複数からなる画像は、前面から後面にかけてコントラストが下げられて表示されることを特徴とする
【考案の効果】
【０００８】
本考案の画像表示装置によれば、複数の画像を衝立状に配置して立体的に表示することで、表示された画像を操作して目的の画像を見ようとする場合等において、小さな表示画面や解像度の粗い画面上においても、その表示画像を視認できるという利点に加えて、視覚的且つ直観的に画像に関する操作ができるという効果がある。
【考案を実施するための最良の形態】
【０００９】
以下、本考案を実施するための最良の形態について図を参照して説明する。
図１は、本考案の一実施例による画像表示装置の概略構成図であり、図２は、画像表示装置の一実施例による正面図を示している。
【００１０】
図１に示すように画像表示装置１は、各種操作を行う入力操作部（入力手段）４５や、操作に応じてテキストや記憶されている画像を表示するＬＣＤ（液晶ディスプレイ）表示部（表示手段）４６を備えており、表示される画像データは、カードインタフェース（Ｉ／Ｆ）部４８を介して外部のメモリカード４９や、ＵＳＢ等の外部入出力（Ｉ／Ｏ）部４７より入力されてＲＡＭ（記憶手段）４３やフラッシュメモリ（図示せず）に保存される。メモリカード、或いはＵＳＢメモリの場合は、そのまま外部メモリとして使用することも可能である。
【００１１】
画像表示の際は、ＪＰＥＧ（Ｊｏｉｎｔ  Ｐｈｏｔｏｇｒａｐｈｉｃ  Ｅｘｐｅｒｔｓ  Ｇｒｏｕｐ）等に画像圧縮（エンコード）されてメモリ等に保存されたデジタル画像データを、画像処理部４４によりデコードし、ＬＣＤ表示部４６に表示できるように各画素に対応した画像形式に変換する。画像処理部４４は、ハードウェアエンジンにより構成されたデコーダ（圧縮データの復号化処理）を有しており圧縮して保存されたデジタル画像データを読み出し、ＬＣＤ表示部４６に表示する際の復号（デコード）処理を担っている。
【００１２】
画像表示装置１は、上記の処理を司るＣＰＵ（中央演算処理装置：制御手段）４１、その処理をプログラムとして記憶しているＲＯＭ（Ｒｅａｄ  Ｏｎｌｙ  Ｍｅｍｏｒｙ）（記憶手段）４２、画像データの処理等に使用するＲＡＭ（Ｒａｎｄｏｍ  Ａｃｃｅｓｓ  Ｍｅｍｏｒｙ）４３を内蔵しており、一般のテレビ受像機に表示するためのビデオ映像信号や、ＰＣ（パーソナルコンピュータ）と接続して画像データの送受信を行うＵＳＢ（Ｕｎｉｖｅｒｓａｌ  Ｓｅｒｉａｌ  Ｂｕｓ）等を用いた外部入出力部４７を備えている。
【００１３】
図２に示す画像表示装置１は、携帯型の画像表示装置に適用した一例であり、ＬＣＤ等を用いて表示する表示画面２と複数の操作ボタンからなる操作部３を備えている。
表示画面２には、複数の画像をグループとしてまとめた第１画像グループ２１が中央に配置され、その左右に第２画像グループ２２及び第３画像グループ２３のそれぞれの一部が表示されるように配置されており、これらの第１〜第３画像グループ２１〜２３のそれぞれの画像が前面から後面へと衝立状に配置され、遠近法によりこれらの画像及び画像グループが同一表示画面上で３次元的に表示されている。各画像グループの画像は、前面から後面にかけて、コントラストが下げられて表示されている。
【００１４】
表示画面２に表示される画像を操作する操作部３は、左右上下の４つの操作ボタンが十字状に配置され、その中央に第５操作ボタンが配置されており、これらの操作ボタンは、左操作ボタン３１、右操作ボタン３２、上操作ボタン３３、下操作ボタン３４、及び画像の選択、特定等をするための第５操作ボタン３５から構成されている。
【００１５】
表示画面２の上部には、「ＦＲＩＥＮＤ（友人）」、「ＷＯＲＫ（仕事）」、「ＦＡＭＩＬＹ（家族）」等のように、中央に表示される第１画像グループ２１のグループ名が表示されるグループ名表示部２４を備えており、また、表示画面２の下部には、「８／１２  ＩＮ−ＨＯＵＳＥ０１．ＪＰＧ  １／２７」等のように、中央に表示される第１画像グループ２１の最前面に表示される画像に関する、撮影日付、画像ファイル名、何枚中の何枚目の画像であるかの画像番号等の属性情報が表示される属性情報表示部２５を備えている。
【００１６】
次に、操作部３の操作ボタンの操作と、操作に伴う表示画面２内の表示画像について説明する。
左操作ボタン３１の操作により、表示画面２の左側に表示されていた第２画像グループ２２が更に左に移動して表示画面２から消え去り、中央の第１画像グループが左に移動して新たな第２画像グループとして表示され、右側に表示されていた第３画像グループ２３が中央に移動して新たな第１画像グループ２１として表示され、表示画面２の右端から新たな第３画像グループが出現して表示される。これらの３次元的に表示される表示画像はアニメーション表示により変化して移動する。画像グループの移動に伴い、グループ名表示部２４に表示されるグループ名も対応するものに変わる。
右操作ボタン３２の操作による表示画面２の画像は、左操作ボタン３１による操作と対称となる操作であり、表示画面中の画像及び画像グループは右移動により行われ、同様の３次元アニメーションにより表示される。
【００１７】
図３に示すように、左端にあった画像グループ「ＦＲＩＥＮＤ」を表示する際は、中央の第１画像グループ２１と右の第３画像グループ２３の表示のみとし、該当する第２画像グループ２２がないので非表示とし、以後の左操作ボタン３１による操作を無効としているが、右端の画像グループを左から出現させるループ構成としてもよい。
図４に示すように、右端にあった画像グループ「ＦＡＭＩＬＹ」を表示する場合も、左端の画像グループと同様に、中央の第１画像グループ２１と左の第２画像グループ２２の表示のみとし、該当する第３画像グループ２３がないので非表示とする。左端の画像グループを右から出現させるループ構成としてもよい。
【００１８】
上操作ボタン３３の操作により、表示画面２に表示されている第１〜第３画像グループ２１〜２３のそれぞれの最前面の画像が表示画面２から消え去り、例えば、その後ろの画像「８／１２  ＩＮ−ＨＯＵＳＥ０２．ＪＰＧ  ２／２７」が手前に表示され、画像グループそれぞれの画像が一つずつ３次元アニメーション表示により前面に移動する。最後の画像が表示された場合は、以後の上操作ボタン３３による操作を無効としているが、再度最初の画像から表示するループ構成としてもよい。
下操作ボタン３４の操作による場合も、上操作ボタンと同様に構成し、最初の画像が最前面にある場合は、下操作ボタン３４による操作を無効とし、それ以外は第１〜第３画像グループ２１〜２３のそれぞれの画像が一つずつ３次元アニメーション表示により前面に移動する。下操作ボタン３４の操作の際、最初の画像が表示されているときの操作ボタンの操作を無効としているが、最後の画像を最初の画像に続けて表示するループ構成としてもよい。
上操作ボタン３３又は下操作ボタン３４を一定時間押し続けると、各画像グループの画像が後面から前面へ或いは前面から後面へと自動的に順次移動するリピート機能を備えている。
【００１９】
十字状に配置された左右上下の４つの操作ボタンの中央に設けられた第５操作ボタン３５の操作により、第１画像グループ２１の最前面の画像を特定する。その際、第２画像グループ２２及び第３画像グループ２３がアニメーション表示により変化しながら表示画面から消え去り、図６に示すように、第１画像グループ２１の最前面の画像がアニメーションにより表示画面２一杯に広がり表示される。再度第５操作ボタン３５を操作することで、再び第１画像グループ２１が中央に配置され、第２及び第３画像グループ２２、２３が両側に配置された元の表示画面２が出現する。
第５操作ボタン３５を一定時間押し続けることで、図６に示すような属性情報を含む表示画像に関する操作・編集メニューの画面に切り替わる。
【００２０】
図５は、画像表示装置１内のハードウェア或いはソフトウェアアプリケーションの実行により本考案の画像表示を実現する各手段の構成図である。
画像表示装置１は、中央制御部（制御手段）１１により各手段を連携させて上述の画像表示を実現する。画像情報取込手段１２は、デジタルカメラで撮影した画像やＰＣ等で編集されＪＰＥＧ等で圧縮されたデジタル画像データを、画像表示装置１に装着されたメモリカードやＵＳＢ等のインタフェースを介し、撮影日やファイル名等の属性情報と共に取り込む手段であり、画像情報記憶手段１３は、取り込まれた画像データを画像表示装置１内のフラッシュメモリやＨＤＤ（ハードディスクドライブ）等の記憶装置（図示せず）に記憶する手段である。
【００２１】
表示手段１４は、ＬＥＤ等のインジケータ（図示せず）や操作メニューの他に、表示画面２上に画像を前面から後面へと衝立状に配置して第１〜第３画像グループを形成し、これらの画像及び画像グループを遠近法により３次元的に表示する画像表示手段１４ａを備えている。
入力手段１５は、表示手段１４等の関連する各手段と連携し、十字状に配置された左右上下の操作ボタン３１〜３４及び中央の第５操作ボタン３５を操作して表示画面２上の表示画像を操作する表示画像操作手段１５ａを備えている。
【００２２】
画像処理手段１６は、画像情報記憶手段１３により記憶されたＪＰＥＧ等による圧縮（エンコード）画像データを、画像データデコード（復号）手段によりワークエリアのメモリ（ＲＡＭ：Ｒａｎｄｏｍ  Ａｃｃｅｓｓ  Ｍｅｍｏｒｙ）内に展開（デコード）し、３次元描画エンジン（共に図示せず）によって表示画面２の画像メモリ（図示せず）上で３次元画像に展開し描画する手段であり、操作部３の各操作ボタンの操作により３次元描画エンジンを用いたアニメーション表示によって、画像グループ内の画像を後面から前面へ或いは前面から後面へと各画像を移動する画像移動手段１６ｂを有し、第１〜第３画像グループ２１〜２３全体を左又は右に移動する画像グループ移動手段１６ａを備えている。また、画像処理手段１６は、第１画像グループ２１の最前面に表示されている画像が特定されたとき、特定された画像を表示画面２一杯に表示することや元の表示に戻すこと、或いは操作メニュー等の画面に切り替える画像表示切替手段１６ｃを備えている。
【００２３】
属性情報処理手段１７は、図６に示すような、表示画面２上の画像の表示位置、表示順序、表示画面２上に表示された画像を特定するための目印となるブックマーク、画像の撮影日時、撮影場所、画像を編集した際の更新日時、画像グループにおける頁番号、画像名としてのファイル名、画像の属するグループ名でもあるフォルダ名、画像サイズ、ＪＰＥＧ、ＧＩＦ（Ｇｒａｐｈｉｃｓ  Ｉｎｔｅｒｃｈａｎｇｅ  Ｆｏｒｍａｔ）、ＴＩＦＦ（Ｔａｇｇｅｄ  Ｉｍａｇｅ  Ｆｉｌｅ  Ｆｏｒｍａｔ）等の画像の種類、・・・等の、画像データに関連付けされて記憶されている各種属性情報を抽出し、これらの属性情報の中から必要な情報を画像処理手段１６等に引き渡してその処理を継続させる。
【００２４】
属性情報処理手段１７は、「ＷＯＲＫ」等のように、表示画面２の上部に第１画像グループ２１を形成している画像グループのグループ名を表示するグループ名表示手段１７ｂを有し、「８／１２  ＩＮ−ＨＯＵＳＥ０１．ＪＰＧ  １／２７」等のように、第１画像グループ２１の最前面に表示されている画像に関する、撮影日付、画像ファイル名、頁番号、総頁数等の属性情報を表示する属性情報表示手段１７ａを備えている。また、属性情報表示手段１７は、表示画面２中で表示される画像を利用者が特定しやすいように、画像の左右上下の周囲、縁、角等のいずれか或いは複数個所に、色や記号により識別可能な目印を付加するブックマーク機能を実現するブックマーク付加手段１７ｃを備えている。
【００２５】
次に、操作部３の各操作ボタンを用いた表示画面２上の画像操作に伴う処理の流れについて、図７を参照して説明する。
まず、画像情報取込手段１２により、画像データを、グループ名（フォルダ名）や画像名（ファイル名）を含む画像に関する属性情報と共に画像表示装置１に取り込み（ステップＳ１１）、これらの画像及びその属性情報を、画像情報記憶手段により画像表示装置１内のフラッシュメモリ等の記憶領域、或いは画像表示装置１に備えられたＨＤＤやメモリカード等の記録媒体に記憶・保存する（ステップＳ１２）。
記憶・保存された画像データは、属性情報処理手段１７及び画像処理手段１６と連携し、入力手段１５の画像操作処理を受けて、表示手段１４によって表示画面２上に衝立状に配置された画像及びその画像グループが遠近法により３次元的に配置され表示される（ステップＳ１３）。
【００２６】
操作部３の左又は右操作ボタン３１、３２の操作によって、画像グループ移動手段１６ａにより表示画面２上の画像グループが左側又は右側にアニメーション表示により移動し（ステップＳ１４）、上又は下操作ボタン３３、３４の操作によって、画像移動手段１６ｂにより表示画面２上の各画像グループの画像が後面から前面へ或いは前面から後面へとアニメーション表示により移動する（ステップＳ１５）。上又は下操作ボタン３３、３４が一定時間押され続けた場合は（ステップＳ１６）、操作ボタンが押され続けている間自動的に画像が後面から前面へ或いは前面から後面へと移動する（ステップＳ１７）。
【００２７】
中央の第５操作ボタン３５の操作により中央の第１画像グループ２１の最前面に表示されている画像が特定され、特定された画像がアニメーション表示によって表示画面２一杯に表示される（ステップＳ１８）。このとき、第５操作ボタン３５が一定時間押され続けた場合は（ステップＳ１９）、画像に関する操作及び編集用のメニューが画面に表示される（ステップＳ２０）。再度第５操作ボタン３５が押された場合は元の表示に戻る。
【００２８】
最後に、図８を参照して、画像表示装置１の表示画面２に画像を表示する際の内部処理について説明する。
各画像グループはフォルダとして定義され、各画像はファイルとして定義される。従ってカテゴリ（大分類）の下位フォルダがサブカテゴリ（小分類）となる。フォルダに対応するグループ、ファイルに対応する各画像は、フラッシュメモリやＨＤＤ内部に保存されるが、実際の画像（静止画像、動画像共に）の管理は、ポインタ或いはテーブルによりアドレス管理されており、表示画面２に表示される画像や画像グループの順序や名称はポインタ或いはテーブル内の移動や変更により対応するので、同一画像が複数の画像グループやカテゴリ、サブカテゴリ中にあっても構わないし、カテゴリやサブカテゴリ、或いは画像名も任意に設定できる。
【００２９】
上述してきた３次元表示される表示画面２上の画像は、動画像にも適用可能であるが、ここでは静止画像を前提に説明する。
フォルダ及びファイルに保存される静止画像は、ＪＰＥＧ等にエンコードされて圧縮画像データとして保存される。ＪＰＥＧのエンコードはハードウェアエンジンにより行われ、ＪＰＥＧデコード（復号）もハードウェアによって行われる。
【００３０】
デコードされた画像データは、ワークエリアのメモリ空間に展開され、メモリ中に展開されたこの画像データを、３次元描画エンジンにより、透明な３次元オブジェクト等にテクスチャとして貼り付け、表示画面２を構成する表示領域の画像メモリ上に展開し、操作に応じてテクスチャの貼り変え等の処理により描画し表示する（画像データデコード手段）。その際、ＪＰＥＧのデコードと共に、３次元描画に関する処理も、表示画面２を構成する画像メモリだけでなく、ワークエリアのメモリ内でも行ない、表示画面２を構成する画像の左右及び上下の表示されていない画像グループも、先読みにより処理しておく。
【００３１】
左右上下の操作ボタンの操作で３次元による表示画面２が表示された際に、次に表示される左右上下の表示画面２部分を先読みし処理することで、各操作ボタンの操作の際にストレスなく高速に表示することができるようになる。
３次元描画エンジンは、ハードウェア処理が望ましいが、３次元オブジェクトの形状が複雑でないことや上述の処理により、操作上ストレスがない表示が可能となるので、ソフトウェア処理によるものでも構わない。
【００３２】
本考案の画像表示装置は、デジタルカメラ、携帯電話、携帯音楽プレイヤ、或いは電子手帳や携帯情報端末（ＰＤＡ）、ノートパソコン等の携帯型電子機器の他、カーナビゲーションシステムのような移動体に備え付けられる装置に適用することも可能である。また、テレビ受像機を表示モニタとして使用するＤＶＤプレイヤやＤＶＤレコーダ等、解像度が粗い表示装置に適用する場合にも適しており、その際に表示される画像は、写真やイラスト等の静止画像にとどまらず、ビデオ映像、アニメーション等のあらゆる静止画像や動画像に適用することが可能である。
【図面の簡単な説明】
【００３３】
【図１】本考案の一実施例による画像表示装置の概略構成図である。
【図２】図１に示す画像表示装置の一実施例による正面図である。
【図３】図２に示す表示画面の画像グループを右に移動した表示例の図である。
【図４】図２に示す表示画面の画像グループを左に移動した表示例の図である。
【図５】図１に示す画像表示装置の各手段の構成図である。
【図６】図２に示す属性情報の内容例の説明図である。
【図７】図２に示す画像表示装置の表示操作を説明する処理の流れ図である。
【図８】図１に示す画像表示装置の表示画面に画像を表示する際の画像デコード処理の説明図である。
【符号の説明】
【００３４】
１    画像表示装置
２    表示画面
３    操作部
１１    中央制御部
１２    画像情報取込手段
１３    画像情報記憶手段
１４    表示手段
１４ａ    画像表示手段
１５    入力手段
１５ａ    表示画像操作手段
１６    画像処理手段
１６ａ    画像グループ移動手段
１６ｂ    画像移動手段
１６ｃ    画像表示切替手段
１７    属性情報処理手段
１７ａ    属性情報表示手段
１７ｂ    グループ名表示手段
１７ｃ    ブックマーク付加手段
２１    第１画像グループ
２２    第２画像グループ
２３    第３画像グループ
２４    グループ名表示部
２５    属性情報表示部
３１    左操作ボタン
３２    右操作ボタン
３３    上操作ボタン
３４    下操作ボタン
３５    第５操作ボタン
４１    ＣＰＵ
４２    ＲＯＭ
４３    ＲＡＭ
４４    画像処理部（デコーダ）
４５    入力操作部
４６    ＬＣＤ表示部
４７    外部Ｉ／Ｏ（ＵＳＢ）
４８    カードＩ／Ｆ部
４９    メモリカード
【図１】
0003122736.tif 000003
【図２】
0003122736.tif 000004
【図３】
0003122736.tif 000005
【図４】
0003122736.tif 000006
【図５】
0003122736.tif 000007
【図６】
0003122736.tif 000008
【図７】
0003122736.tif 000009
【図８】
0003122736.tif 000010